(57)【要約】【課題】表示する画像の明るさを所望の明るさに近づける。【解決手段】投影の対象となる画像を示す画像信号に基づいて光源が射出した光を変調する反射型液晶パネル４Ｒと、上記画像信号を参照して、前記光源の出力を調節する調節部７０と、を備える。【選択図】図２
2014132289.tif 000002
【特許請求の範囲】
【請求項１】
投影の対象となる画像を示す画像信号に基づいて光源が射出した光を変調する光変調部と、
前記画像信号を参照して、前記光源の出力を調節する調節部と、
を備えるプロジェクター。
【請求項２】
前記光源から射出された光の明るさに関する光明るさ情報を検出する光検出部を更に備え、
前記調節部は、前記画像信号に応じて、前記光検出部が検出した光明るさ情報を補正し、補正した後の光明るさ情報を参照して前記光源の出力を調節する請求項１に記載のプロジェクター。
【請求項３】
前記光検出部は、前記光源から前記光変調部までの光路に含まれる光について、前記光明るさ情報を検出する請求項２に記載のプロジェクター。
【請求項４】
前記調節部は、前記画像信号の明るさに関する情報に応じて、前記光検出部が検出した光明るさ情報を補正する請求項２または３に記載のプロジェクター。
【請求項５】
前記光検出部は、光の色毎に光明るさ情報を検出し、
前記調節部は、前記画像信号に含まれる色毎の明るさに関する情報に応じて、前記光検出部が検出した、対応する光の色の光明るさ情報を補正する請求項４に記載のプロジェクター。
【請求項６】
前記調節部は、
前記画像信号に含まれる一の色の明るさに関する情報を前記光変調部の反射を示す反射情報に変換する変換部と、
前記変換部が変換して得た反射情報に応じて、前記光検出部が検出した前記一の色の光明るさ情報を補正する補正処理部と、
を備える請求項５に記載のプロジェクター。
【請求項７】
前記画像信号の色毎の明るさに関する情報は、前記画像信号の色毎の平均階調値である請求項５または６に記載のプロジェクター。
【請求項８】
投影の対象となる画像を示す画像信号に基づいて光源が射出した光を変調する光変調部を備えるプロジェクターの制御方法であって、
前記画像信号を参照して、前記光源の出力を調節する手順を有するプロジェクターの制御方法。
【発明の詳細な説明】
【技術分野】
【０００１】
本発明は、プロジェクター及びその制御方法に関する。
【背景技術】
【０００２】
プロジェクターは、光源、光変調装置、及び投射レンズを備えており、光源から射出された光を光変調装置で変調し、変調した光を投射レンズでスクリーンに投射することにより、スクリーン上に画像を表示する。従来のプロジェクターは、光源としてハロゲンランプ、メタルハライドランプ、高圧水銀ランプを備えるが、最近はレーザーダイオードとか発光ダイオードとかの固体光源を備えるものの開発がされている。
【０００３】
特許文献１には、励起光を射出する固体光源と、上記励起光を蛍光に変換する蛍光体と、該蛍光体からの光を変調する光変調装置と、該光変調装置で変調された光をスクリーンに投射する投射光学系とを備えるプロジェクターが開示されている。また、特許文献１のプロジェクターにおいて、上記蛍光体を介した上記励起光及び上記蛍光体で変換された上記蛍光の少なくとも一方を検出する光センサーを備えることが開示されている。また、特許文献１のプロジェクターにおいて、上記光センサーの検出結果に応じて、上記固体光源及び上記光変調装置の少なくとも一方を制御する制御装置が開示されている。
【先行技術文献】
【特許文献】
【０００４】
【特許文献１】特開２０１２−４７９５１号公報
【発明の概要】
【発明が解決しようとする課題】
【０００５】
光変調装置が光を変調するときに光の反射または吸収が発生する。これによって、プロジェクターで表示する画像の明るさが所望の明るさとは異なってしまうという問題がある。
【０００６】
そこで本発明の一態様は、上記問題に鑑みてなされたものであり、表示する画像の明るさを所望の明るさに近づけることを可能とするプロジェクター及びその制御方法を提供することを課題とする。
【課題を解決するための手段】
【０００７】
（１）本発明の一態様は、投影の対象となる画像を示す画像信号に基づいて光源が射出した光を変調する光変調部と、前記画像信号を参照して、前記光源の出力を調節する調節部と、を備えるプロジェクターである。これにより、光変調部が光を変調するときに光の反射または吸収が生じたとしても、プロジェクターは、光源の出力を調節することで、当該画像信号が示す画像の明るさを所望の明るさに近づけることができる。
【０００８】
（２）また、本発明の一態様は、上述のプロジェクターであって、前記光源から射出された光の明るさに関する光明るさ情報を検出する光検出部を更に備え、前記調節部は、前記画像信号に応じて、前記光検出部が検出した光明るさ情報を補正し、補正した後の光明るさ情報を参照して前記光源の出力を調節する。これにより、光変調部が光を変調するときに光の反射または吸収が生じたとしても、プロジェクターは、画像信号に応じて光検出部が検出した光明るさ情報を補正し、補正した後の光明るさ情報を参照して光源の出力を調節することで、当該画像信号が示す画像の明るさを所望の明るさに近づけることができる。
【０００９】
（３）また、本発明の一態様は、上述のプロジェクターであって、前記光検出部は、前記光源から前記光変調部までの光路に含まれる光について、前記光明るさ情報を検出する。これにより、光変調部が光を変調するときに光の反射または吸収が生じたとしても、プロジェクターは、画像信号に応じて、光源から光変調部までの光路に含まれる光についての光明るさ情報を補正し、補正した後の光明るさ情報を参照して光源の出力を調節することで、当該画像信号が示す画像の明るさを所望の明るさに近づけることができる。
【００１０】
（４）また、本発明の一態様は、上述のプロジェクターであって、前記調節部は、前記画像信号の明るさに関する情報に応じて、前記光検出部が検出した光明るさ情報を補正する。これにより、光変調部が光を変調するときに光の反射または吸収が生じたとしても、プロジェクターは、画像信号の明るさに関する情報に応じて、光検出部が検出した光明るさ情報を補正し、補正した後の光明るさ情報を参照して光源の出力を調節することで、当該画像信号が示す画像の明るさを所望の明るさに近づけることができる。
【００１１】
（５）また、本発明の一態様は、上述のプロジェクターであって、前記光検出部は、光の色毎に光明るさ情報を検出し、前記調節部は、前記画像信号に含まれる色毎の明るさに関する情報に応じて、前記光検出部が検出した、対応する光の色の光明るさ情報を補正する。これにより、画像信号のうち対象とする色の明るさに応じて、対象とする色の光強度を補正し、補正した後の光強度を参照して光源の発光強度を調節することができる。そのため、プロジェクターは、色毎に当該画像信号が示す画像の明るさを所望の明るさに近づけることができる。
【００１２】
（６）また、本発明の一態様は、上述のプロジェクターであって、前記調節部は、前記画像信号に含まれる一の色の明るさに関する情報を前記光変調部の反射を示す反射情報に変換する変換部と、前記変換部が変換して得た反射情報に応じて、前記光検出部が検出した前記一の色の光明るさ情報を補正する補正処理部と、を備える。これにより、補正処理部は、例えばカラーモードの設定によらず同じ処理で一の色の光明るさ情報を補正することができる。その結果、補正処理部は、例えばカラーモードの設定によらず共通する補正テーブルを使用して一の色の光明るさ情報を補正することができる。そのため、補正処理部が保持するテーブルの数を減らすことができ、補正処理部が内部に保持するメモリーの容量を減らすことができる。
【００１３】
（７）また、本発明の一態様は、上述のプロジェクターであって、前記画像信号の色毎の明るさに関する情報は、前記画像信号の色毎の平均階調値である。これにより、画像信号の色毎の明るさを画像信号の色毎の平均階調値とすることで、画像信号の色毎の明るさを精度良く決定することができる。
【００１４】
（８）また、本発明の一態様は、投影の対象となる画像を示す画像信号に基づいて光源が射出した光を変調する光変調部を備えるプロジェクターの制御方法であって、前記画像信号を参照して、前記光源の出力を調節する手順を有するプロジェクターの制御方法である。これにより、光変調部が光を変調するときに光の反射または吸収が生じたとしても、プロジェクターは、光源の出力を調節することで、当該画像信号が示す画像の明るさを所望の明るさに近づけることができる。
【図面の簡単な説明】
【００１５】
【図１】第１の実施形態におけるプロジェクターの構成を示す概略構成図である。
【図２】第１の実施形態における制御部の構成を示す概略ブロック図である。
【図３】第１の実施形態における補正部の構成を示す概略ブロック図である。
【図４】補正係数とＡＰＬとの関係を示す図である。
【図５】第１の実施形態における制御部の処理の流れの一例を示すフローチャートである。
【図６】第２の実施形態におけるプロジェクターの構成を示す概略構成図である。
【図７】第２の実施形態における制御部の構成を示す概略ブロック図である。
【図８】第２の実施形態における補正部の構成を示す概略ブロック図である。
【図９】第２の実施形態における制御部の処理の流れの一例を示すフローチャートである。
【発明を実施するための形態】
【００１６】
以下、本発明の各実施形態について、図面を参照して詳細に説明する。
図１は、第１の実施形態におけるプロジェクター５０の構成を示す概略ブロック図である。プロジェクター５０は、図１に示すように、青色光用照明装置５１と、黄色光用照明装置５２と、ダイクロイックミラー２５と、導光光学系３Ｒと、導光光学系３Ｇと、導光光学系３Ｂと、反射型液晶パネル（光変調部）４Ｒと、反射型液晶パネル（光変調部）４Ｇと、反射型液晶パネル（光変調部）４Ｂと、赤色光用光センサー３６Ｒと、緑色光用光センサー３６Ｇと、青色光用光センサー３６Ｂと、クロスダイクロイックプリズム５と、投写光学系６とを備える。青色光用照明装置５１は、一例として主にＰ偏光の青色光ＬＢを射出する。黄色光用照明装置５２は、一例として主にＰ偏光の黄色光ＬＹを射出する。
【００１７】
ダイクロイックミラー２５は、所定の波長領域の光束を反射し、他の波長領域の光束を透過する波長選択膜が基板上に形成された光学素子である。本実施形態では、ダイクロイックミラー２５は、一例として、黄色光用照明装置５２が射出した黄色光ＬＹのうち、予め決められた基準波長より波長が長い赤色光ＬＲを透過させ、予め決められた基準波長以下の波長の緑色光ＬＧを反射する。
【００１８】
導光光学系３Ｒは、ダイクロイックミラー２５が透過した赤色光ＬＲのうち、偏光ビームスプリッター２６で反射したＳ偏光の赤色光を赤色光用光センサー３６Ｒへ導く。一方、導光光学系３Ｒは、ダイクロイックミラー２５が透過した赤色光ＬＲのうち、偏光ビームスプリッター２６を透過したＰ偏光の赤色光を反射型液晶パネル４Ｒへ導く。また、導光光学系３Ｒは、反射型液晶パネル４Ｒから反射された赤色光のうち、偏光ビームスプリッター２６で反射したＳ偏光の赤色光をクロスダイクロイックプリズム５へ導く。
【００１９】
導光光学系３Ｇは、ダイクロイックミラー２５が反射した緑色光ＬＧのうち、偏光ビームスプリッター２７で反射したＳ偏光の緑色光を緑色光用光センサー３６Ｇへ導く。導光光学系３Ｇは、ダイクロイックミラー２５が反射した緑色光ＬＧのうち、偏光ビームスプリッター２７を透過したＰ偏光の緑色光を反射型液晶パネル４Ｇへ導く。また、導光光学系３Ｇは、反射型液晶パネル４Ｇから反射された緑色光のうち、偏光ビームスプリッター２７で反射したＳ偏光の緑色光をクロスダイクロイックプリズム５へ導く。
【００２０】
導光光学系３Ｂは、青色光用照明装置５１が射出した青色光ＬＢのうち、偏光ビームスプリッター２８で反射したＳ偏光の青色光を青色光用光センサー３６Ｂへ導く。導光光学系３Ｂは、青色光用照明装置５１が射出した青色光ＬＢのうち、偏光ビームスプリッター２８を透過したＰ偏光の青色光を反射型液晶パネル４Ｂへ導く。また、導光光学系３Ｂは、反射型液晶パネル４Ｂから反射された青色光のうち、偏光ビームスプリッター２８で反射したＳ偏光の青色光をクロスダイクロイックプリズム５へ導く。
【００２１】
反射型液晶パネル４Ｒは、導光光学系３Ｒにより導かれた赤色光を画像信号に応じて変調する。同様に、反射型液晶パネル４Ｇは、導光光学系３Ｇにより導かれた緑色光を画像信号に応じて変調する。同様に、反射型液晶パネル４Ｂは、導光光学系３Ｂにより導かれた青色光を画像信号に応じて変調する。
クロスダイクロイックプリズム５は、導光光学系３Ｒが導いた赤色光、導光光学系３Ｇが導いた緑色光、導光光学系３Ｂが導いた青色光を合成する。投写光学系６は、クロスダイクロイックプリズム５によって合成された光をスクリーンＳＣＲ等の投写面に投写する。
【００２２】
赤色光用光センサー３６Ｒは、導光光学系３Ｒが導いたＳ偏光の赤色光の明るさ（本実施形態では、一例として光強度）を検出する。赤色光用光センサー３６Ｒは、検出した赤色光の光強度を示す赤色光強度信号を制御部６４へ出力する。同様に、青色光用光センサー３６Ｂは、導光光学系３Ｂが導いたＳ偏光の青色光の明るさ（本実施形態では、一例として光強度）を検出する。青色光用光センサー３６Ｂは、検出した青色光の光強度を示す青色光強度信号を制御部６４に出力する。また同様に、緑色光用光センサー３６Ｇは、導光光学系３Ｇが導いたＳ偏光の緑色光の強度を検出する。緑色光用光センサー３６Ｇは、検出した緑色光の強度を示す緑色光強度信号を制御部６４に出力する。
【００２３】
青色光用照明装置５１は、青色レーザーダイオードアレイ５３と、平行化レンズ５４と、集光レンズ５５と、拡散板５６と、ピックアップレンズ５７と、平行化レンズ５８と、第１レンズアレイ９と、第２レンズアレイ１０と、偏光変換素子１１と、重畳レンズ１２とを備える。
【００２４】
青色レーザーダイオードアレイ５３は、例えば１２個の青色レーザーダイオード５９が４個×３個のアレイ状に配列されたものである。平行化レンズ５４は、個々の青色レーザーダイオード５９に対応する位置に、個々の青色レーザーダイオード５９と同じ数だけ設けられている。第１レンズアレイ９は、平行化レンズ５８から射出される照明光束を複数の部分光束に分割するための複数の第１小レンズ１３を有する。第２レンズアレイ１０は、第１レンズアレイ９の複数の第１小レンズ１３に対応する複数の第２小レンズ１４を有する。偏光変換素子１１は、第２レンズアレイ１０からの各部分光束を偏光方向の揃った略１種類の直線偏光に変換して射出する。重畳レンズ１２は、偏光変換素子１１から射出される各部分光束を被照明領域で重畳させる。
【００２５】
青色レーザーダイオード５９から射出された青色光ＬＢは、平行化レンズ５４により平行化された後、集光レンズ５５により集光され、拡散板５６上に照射されることで点光源が形成される。拡散板５６上の各点光源からの青色の拡散光は、ピックアップレンズ５７を透過して平行化レンズ５８により平行化された後、第１レンズアレイ９に入射する。
【００２６】
第１レンズアレイ９は、平行化レンズ５８からの平行光を複数の部分光束に分割する光束分割光学素子としての機能を有する。第１レンズアレイ９は、複数の第１小レンズ１３が照明光軸５１ａｘと直交する面内に複数行・複数列のマトリクス状に配列された構成を有する。図示による説明は省略するが、第１小レンズ１３の外形形状は、反射型液晶パネル４Ｂの画像形成領域の外形形状に関して相似形である。
【００２７】
第２レンズアレイ１０は、重畳レンズ１２とともに、第１レンズアレイ９の各第１小レンズ１３の像を反射型液晶パネル４Ｂの画像形成領域近傍に結像させる機能を有する。第２レンズアレイ１０は、第１レンズアレイ９と同様、複数の第２小レンズ１４が照明光軸５１ａｘに直交する面内に複数行・複数列のマトリクス状に配列された構成を有する。
【００２８】
偏光変換素子１１は、第１レンズアレイ９により分割された各部分光束の偏光方向を、偏光方向の揃った略１種類の直線偏光として射出する。偏光変換素子１１は、青色レーザーダイオード５９からの照明光のうち、一方の偏光（例えばＰ偏光）を透過し、他方の偏光（例えばＳ偏光）を照明光軸５１ａｘに垂直な方向に向けて反射する偏光分離層と、偏光分離層で反射された他方の偏光成分を有する光を照明光軸５１ａｘに平行な方向に反射する反射層と、偏光分離層を透過した一方の偏光成分を有する光を他方の偏光成分を有する光に変換する位相差板とを有する。なお、偏光変換素子１１を透過した光は、概ねＰ偏光となるが、全てがＰ偏光となるわけではなく、Ｓ偏光も混在している。
【００２９】
重畳レンズ１２は、第１レンズアレイ９、第２レンズアレイ１０および偏光変換素子１１を経た複数の部分光束を集光して反射型液晶パネル４Ｂの画像形成領域近傍に重畳させるための光学素子である。重畳レンズ１２は、重畳レンズ１２の光軸と青色光用照明装置５１の照明光軸５１ａｘとが略一致するように配置されている。なお、重畳レンズ１２は、複数のレンズを組み合わせた複合レンズで構成されていてもよい。
【００３０】
黄色光用照明装置５２は、励起用レーザーダイオードアレイ６０と、平行化レンズ５４と、集光レンズ５５と、蛍光体基板６１と、ピックアップレンズ５７と、平行化レンズ５８と、第１レンズアレイ９と、第２レンズアレイ１０と、偏光変換素子１１と、重畳レンズ１２とを備える。励起用レーザーダイオードアレイ６０は、例えば３０個の励起用レーザーダイオード６２が６個×５個のアレイ状に配列されたものである。励起用レーザーダイオード６２は、蛍光体を励起させるための励起光として、紫外光もしくは青色光を射出するものである。平行化レンズ５４は、個々の励起用レーザーダイオード６２に対応して設けられている。蛍光体基板６１は、紫外光、青色光等の励起光を受けて黄色光を発する蛍光体層が基板上に形成されたものである。
【００３１】
励起用レーザーダイオード６２から射出された各励起光は、平行化レンズ５４により平行化された後、集光レンズ５５により集光され、蛍光体基板６１上に照射されることで点光源が形成される。蛍光体基板６１上の各点光源から発光した黄色光ＬＹは、ピックアップレンズ５７を透過して平行化レンズ５８により平行化された後、第１レンズアレイ９に入射する。
【００３２】
黄色光用照明装置５２内の第１レンズアレイ９、第２レンズアレイ１０、偏光変換素子１１及び重畳レンズ１２はそれぞれ、青色光用照明装置５１内の第１レンズアレイ９、第２レンズアレイ１０、偏光変換素子１１及び重畳レンズ１２と同じ構成であるので、その説明を省略する。但し、黄色光用照明装置５２では、青色光用照明装置５１の照明光軸５１ａｘが照明光軸５２ａｘに変更されている点が異なる。
【００３３】
導光光学系３Ｂは、集光レンズ３２Ｂと、第１の絞り（入射角制限部材）３７と、偏光ビームスプリッター（偏光分離素子）２８と、第２の絞り３８と、偏光板３４Ｂとを備える。
集光レンズ３２Ｂは、重畳レンズ１２で集光された青色光ＬＢの各部分光束を各主光線に対して略平行な光束に変換する。第１の絞り３７は、集光レンズ３２Ｂが変換した略平行な光束を絞る。これにより、重畳レンズ１２で集光された青色光ＬＢは、集光レンズ３２Ｂおよび第１の絞り３７を介して偏光ビームスプリッター２８に入射する。このとき、青色光用照明装置５１からの照明光束は偏光変換素子１１によって概ね偏光方向の揃った略１種類の直線偏光（例えば、Ｐ偏光）に揃えられていることから、集光レンズ３２Ｂを通過した光は、偏光ビームスプリッター２８を通過して青色光用の反射型液晶パネル４Ｂに入射する。なお、他の集光レンズ３２Ｒ、集光レンズ３２Ｇも、集光レンズ３２Ｂと同様に構成されている。
【００３４】
偏光ビームスプリッター２８は、プレートタイプの偏光ビームスプリッターであって、透光性の基板に偏光分離膜を設けた構成からなる。偏光ビームスプリッター２８は、一方の偏光を透過し、他方の偏光を反射する機能を有する。本実施形態の場合、偏光ビームスプリッター２８は、一例としてＰ偏光を透過し、Ｓ偏光を反射する機能を有する。第２の絞り３８は、偏光ビームスプリッター２８が反射したＳ偏光の青色光の光束を絞る。これにより、第２の絞り３８により絞られた光が、青色光用光センサー３６Ｂに導かれる。
【００３５】
また、偏光ビームスプリッター２８は、反射型液晶パネル４Ｂから反射された青色光のうちＳ偏光の青色光を反射し、Ｐ偏光の青色光を透過させる。これにより、偏光ビームスプリッター２８で反射したＳ偏光の青色光が偏光板３４Ｂへ導かれる。偏光板３４Ｂは、導かれた青色光のうち、所定の方向に偏光した光だけを通過させる。これにより、所定の方向に偏光した青色光がクロスダイクロイックプリズム５へ導かれる。
【００３６】
また、偏光ビームスプリッター（偏光分離素子）２８で透過したＰ偏光の青色光が偏光変換素子１１を介して拡散板５６へ導かれる。ここで、拡散板５６は、導かれたＰ偏光の青色光をほとんど反射しないので、拡散板５６が反射した光は、ほとんど青色光用光センサー３６Ｂに導かれない。
なお、他の偏光ビームスプリッター（偏光分離素子）２６、偏光ビームスプリッター（偏光分離素子）２７も、上述の偏光ビームスプリッター２８と同様に構成されている。
【００３７】
上述したように、青色光用照明装置５１からの照明光束は偏光変換素子１１によって概ねＰ偏光に揃えられており、青色のＰ偏光は偏光ビームスプリッター２８を透過して青色光用の反射型液晶パネル４Ｂに入射する。ところが、実際には偏光変換素子１１を透過した光が全てＰ偏光に変換されているのではなく、Ｓ偏光も混在している。よって、偏光ビームスプリッター２８に入射したＳ偏光は、偏光ビームスプリッター２８で反射する。青色光の光路において、偏光ビームスプリッター２８で反射するＳ偏光の光路上に青色光用光センサー３６Ｂが備えられている。
【００３８】
導光光学系３Ｒは、集光レンズ３２Ｒと、第１の絞り３７と、偏光ビームスプリッター（偏光分離素子）２６と、第２の絞り（入射角制限部材）３８と、偏光板３４Ｒとを備える。
集光レンズ３２Ｒは、ダイクロイックミラー２５を透過した赤色光ＬＲの各部分光束を各主光線に対して略平行な光束に変換する。第１の絞り３７は、集光レンズ３２Ｒが変換した略平行な光束を絞る。これにより、ダイクロイックミラー２５を透過した赤色光ＬＲは、集光レンズ３２Ｒおよび第１の絞り３７を介して偏光ビームスプリッター２６に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｒを通過した光は、偏光ビームスプリッター２８を通過して赤色光用の反射型液晶パネル４Ｒに入射する。
【００３９】
また、偏光ビームスプリッター２６は、一例としてＰ偏光を透過し、Ｓ偏光を反射する機能を有する。第２の絞り３８は、偏光ビームスプリッター２８が反射したＳ偏光の赤色光の光束を絞る。これにより、第２の絞り３８により絞られた光が、赤色光用光センサー３６Ｒへ導かれる。
【００４０】
また、偏光ビームスプリッター２６は、反射型液晶パネル４Ｒから反射された赤色光のうちＳ偏光の赤色光を反射し、Ｐ偏光の赤色光を透過させる。これにより、偏光ビームスプリッター２６で反射したＰ偏光の赤色光が偏光板３４Ｒへ導かれる。偏光板３４Ｒは、導かれた赤色光のうち、所定の方向に偏光した光だけを通過させる。これにより、所定の方向に偏光した赤色光がクロスダイクロイックプリズム５へ導かれる。
【００４１】
また、偏光ビームスプリッター２６で透過したＰ偏光の赤色光がダイクロイックミラー２５を透過して蛍光体基板６１へ導かれる。ここで、蛍光体基板６１は、導かれたＰ偏光の赤色光を反射する。そして、偏光ビームスプリッター２６が、蛍光体基板６１が反射した光のうちＳ偏光の赤色光を反射する。これにより、その反射された赤色光が赤色光用光センサー３６Ｒへ導かれる。
【００４２】
導光光学系３Ｇは、集光レンズ３２Ｇと、第１の絞り３７と、偏光ビームスプリッター（偏光分離素子）２７と、第２の絞り（入射角制限部材）３８と、偏光板３４Ｇとを備える。
集光レンズ３２Ｇは、ダイクロイックミラー２５が反射した緑色光ＬＧの各部分光束を各主光線に対して略平行な光束に変換する。第１の絞り３７は、集光レンズ３２Ｇが変換した略平行な光束を絞る。これにより、ダイクロイックミラー２５が反射した緑色光ＬＧは、集光レンズ３２Ｇおよび第１の絞り３７を介して偏光ビームスプリッター２６に入射する。このとき、黄色光用照明装置５２からの照明光束は偏光変換素子１１によって概ね偏光方向の揃った略１種類の直線偏光（例えば、Ｐ偏光）に揃えられていることから、集光レンズ３２Ｇを通過した光は、偏光ビームスプリッター２７を通過して緑色光用の反射型液晶パネル４Ｇに入射する。
【００４３】
また、偏光ビームスプリッター２７は、一例としてＰ偏光を透過し、Ｓ偏光を反射する。第２の絞り３８は、偏光ビームスプリッター２７が反射したＳ偏光の緑色光の光束を絞る。これにより、第２の絞り３８により絞られた光が、緑色光用光センサー３６Ｇに導かれる。
【００４４】
また、偏光ビームスプリッター２７は、反射型液晶パネル４Ｇから反射された緑色光のうちＳ偏光の緑色光を反射し、Ｐ偏光の緑色光を透過させる。これにより、偏光ビームスプリッター２６で反射したＳ偏光の緑色光が偏光板３４Ｇへ導かれる。偏光板３４Ｇは、導かれた緑色光のうち、所定の方向に偏光した光だけを通過させる。これにより、所定の方向に偏光した緑色光がクロスダイクロイックプリズム５へ導かれる。
【００４５】
また、偏光ビームスプリッター２７で透過したＰ偏光の緑色光がダイクロイックミラー２５で反射して蛍光体基板６１へ導かれる。ここで、蛍光体基板６１は、導かれたＰ偏光の緑色光を反射する。そして、偏光ビームスプリッター２７が蛍光体基板６１が反射した光のうちＳ偏光の緑色光を反射する。これにより、その反射された緑色光が緑色光用光センサー３６Ｇへ導かれる。
【００４６】
反射型液晶パネル４Ｒ、反射型液晶パネル４Ｇ、反射型液晶パネル４Ｂは、画像信号に応じて照明光を変調するものである。反射型液晶パネル４Ｒおよび反射型液晶パネル４Ｇは、黄色光用照明装置５２の被照明対象となる光変調部である。反射型液晶パネル４Ｂは、青色光用照明装置５１の被照明対象となる光変調部である。
反射型液晶パネル４Ｒ、反射型液晶パネル４Ｇ、及び反射型液晶パネル４Ｂは、液晶層を挟持する一対の基板と、光入射側の基板と対向する基板側に配置された反射層（もしくは反射電極）と、を備えている。また、反射型液晶パネル４Ｒ、反射型液晶パネル４Ｇ、反射型液晶パネル４Ｂの光入射側と反対側の面には、図１に示すように、それぞれ放熱フィン３３Ｒ、放熱フィン３３Ｇ、放熱フィン３３Ｂが配設されている。
【００４７】
クロスダイクロイックプリズム５は、偏光板３４Ｒ、偏光板３４Ｇ、及び偏光板３４Ｂから射出された色光毎に変調された光学像を合成し、カラー画像を形成する光学素子である。クロスダイクロイックプリズム５は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は青色光ＬＢを反射し、他方の界面に形成された誘電体多層膜は赤色光ＬＲを反射する。これらの誘電体多層膜によって青色光ＬＢおよび赤色光ＬＲは曲折され、クロスダイクロイックプリズム５を透過する緑色光ＬＧの進行方向と揃えられることにより、３つの色光が合成される。
クロスダイクロイックプリズム５から射出された光によって形成されるカラー画像は、投写光学系６によって拡大投写され、スクリーンＳＣＲ上で画像を形成する。
【００４８】
制御部６４は、赤色光用光センサー３６Ｒが検出した赤色光の強度に応じて、励起用レーザーダイオード６２の光量を調節する。制御部６４は、青色光用光センサー３６Ｂが検出した青色光の強度に応じて、青色レーザーダイオード５９の光量を調節する。また、制御部６４は、入力される映像を示す映像信号に応じて反射型液晶パネル４Ｒ、４Ｇ、４Ｂの各画素の反射率を制御する。
なお、制御部６４に入力される映像信号は、連続するフレームの画像を示す複数の画像信号でもよいし、一フレームの画像を示す画像信号でもよい。
【００４９】
なお、各実施形態の光学構成は図１及び後述する図６の光学構成に限ったものではない。すなわち、蛍光体基板６１は反射型のものでも良いし、拡散板の有無など細かな光学構成は単なる設計事項であって、これらには限定されない。また、赤（Ｒ）緑（Ｇ）青（Ｂ）３つのＬＥＤを光源とした構成であっても良い。また光変調部は、透過型液晶パネルやＤＭＤ（Ｄｉｇｉｔａｌ  Ｍｉｒｒｏｒ  Ｄｅｖｉｃｅ、ディジタルミラーデバイス）であっても良い。また、赤色光用光センサー３６Ｒ、緑色光用光センサー３６Ｇ及び青色光用光センサー３６Ｂの配置は図１及び後述する図６の位置に限定するものではなく、Ｙ光源およびＢ光源の光量が検出できる場所であればよい。
【００５０】
図２は、第１の実施形態における制御部６４の構成を示す概略ブロック図である。なお、同図では、制御部６４の他に、青色レーザーダイオード５９及び励起用レーザーダイオード６２を備える光源７１が示され、また赤色光用光センサー３６Ｒ、不図示の緑色光用光センサー３６Ｇ及び青色光用光センサー３６Ｂを備える光検出部７２が示されている。制御部６４は、液晶駆動部６６Ｒ、６６Ｇ、６６Ｂと、調節部７０とを備える。
調節部７０は、映像信号に応じて光源７１の出力を調節する。出力は、例えば、明るさである。明るさは、例えば光強度、輝度、または明度である。ここで、調節部７０は、信号処理部６５と、ＰＷＭ信号生成部６７と、励起用レーザーダイオード駆動部６８と、青色レーザーダイオード駆動部６９とを備える。
【００５１】
信号処理部６５は、映像信号と制御信号を受け取る。信号処理部６５は、受け取った映像信号に対して各種の画質補正処理を適用し、画質補正処理後の信号を液晶駆動部６６Ｒ、６６Ｇ、６６Ｂへ出力する。これにより、液晶駆動部６６Ｒ、６６Ｇ、６６Ｂは、信号処理部６５から入力された信号を用いて、それぞれ反射型液晶パネル４Ｒ、４Ｇ、４Ｂの反射率を制御する。
また、信号処理部６５は、受け取った制御信号に応じて、光源の調光制御のための処理を行う。ここで、制御信号とは、スクリーンＳＣＲ（図１）に表示されるメニュー画面（図示せず）で、ユーザーが入力したユーザー設定、またはカラーモードの表示に係る情報を含む信号である。これにより、光源光量は、ユーザー設定、またはカラーモードに連動した明るさ及び色設定に基づいて制御される。さらに、信号処理部６５は、受け取った映像信号の明るさ（階調値）に適応して調光制御のための処理を行う。
【００５２】
続いて、信号処理部６５における調光制御のための処理の具体例について説明する。ここで、信号処理部６５は、補正部８０とデューティー決定部１００とを備える。補正部８０は、赤色光用光センサー３６Ｒから赤色光強度信号を受け取る。そして、補正部８０は、例えば、制御信号に含まれるカラーモードと映像信号に応じて、赤色光強度信号が示す赤色光用光センサー値を補正する。そして、補正部８０は補正後の赤色光用光センサー値を示す情報をデューティー決定部１００へ出力する。
【００５３】
また、補正部８０は、青色光用光センサー３６Ｂから青色光強度信号を受け取る。そして、補正部８０は、例えば、制御信号に含まれるカラーモードと映像信号に応じて、青色光強度信号が示す青色光用光センサー値を補正する。そして、補正部８０は補正後の青色光用光センサー値を示す情報をデューティー決定部１００へ出力する。
【００５４】
デューティー決定部１００は、補正後の赤色光用光センサー値と補正後の青色光用光センサー値に応じて励起用デューティー値ＤｕｔｙＹと青色デューティー値ＤｕｔｙＢを決定する。その際、デューティー決定部１００は、赤の光強度と青の光強度が予め決められた目標の比率になるように、励起用デューティー値ＤｕｔｙＹと青色デューティー値ＤｕｔｙＢを決定する。その際、デューティー決定部１００は、例えば、弱い光強度の光源にあわせて強い光強度の光源の強度を変更するように、励起用デューティー値ＤｕｔｙＹと青色デューティー値ＤｕｔｙＢを決定する。デューティー決定部１００は、励起用デューティー値ＤｕｔｙＹを示す情報と青色デューティー値ＤｕｔｙＢを示す情報をＰＷＭ信号生成部６７へ出力する。これにより、デューティー決定部１００は、励起用レーザーダイオード６２の発光量と青色レーザーダイオード５９の発光量を制御することができる。
【００５５】
なお、デューティー決定部１００は、青色レーザーダイオード５９の光出力に余裕を持たせておいて、青色レーザーダイオード５９の光量が下がった場合に、青色レーザーダイオード５９の光強度を強くするように青色デューティー値ＤｕｔｙＢを決定してもよい。
また、デューティー決定部１００は、例えば、強い光強度の光源にあわせて弱い光強度の光源の強度を変更するように、励起用デューティー値ＤｕｔｙＹと青色デューティー値ＤｕｔｙＢを決定してもよい。
【００５６】
また、信号処理部６５は、励起用レーザーダイオード６２を定電流駆動する場合、駆動電流の振幅Ｙを示す駆動電流振幅情報を励起用レーザーダイオード駆動部６８へ出力する。これにより、励起用レーザーダイオード駆動部６８は、ＰＷＭ駆動の他に、振幅Ｙの定電流駆動でも励起用レーザーダイオード６２を駆動することができる。
また、同様に、信号処理部６５は、青色レーザーダイオード５９を定電流駆動する場合、駆動電流の振幅Ｂを示す駆動電流振幅情報を青色レーザーダイオード駆動部６９へ出力する。これにより、青色レーザーダイオード駆動部６９は、ＰＷＭ駆動の他に、振幅Ｂの定電流駆動でも青色レーザーダイオード５９を駆動することができる。
【００５７】
ＰＷＭ信号生成部６７は、励起用デューティー値ＤｕｔｙＹから励起用レーザーダイオード６２の明滅と対応したＰＷＭＹ信号を生成する。ＰＷＭ信号生成部６７は、生成したＰＷＭＹ信号を励起用レーザーダイオード駆動部６８へ出力する。
同様に、ＰＷＭ信号生成部６７は、青色デューティー値ＤｕｔｙＢから青色レーザーダイオード５９の明滅と対応したＰＷＭＢ信号を生成する。ＰＷＭ信号生成部６７は、生成したＰＷＭＢ信号を青色レーザーダイオード駆動部６９へ出力する。
【００５８】
励起用レーザーダイオード駆動部６８は、ＰＷＭＹ信号の波形に基づいた励起用レーザーダイオード６２のＯＮ／ＯＦＦ制御を行う。なお、励起用レーザーダイオード駆動部６８は、信号処理部６５から入力された駆動電流振幅情報が示す振幅Ｙで、励起用レーザーダイオード６２の定電流駆動を行ってもよい。
また、青色レーザーダイオード駆動部６９は、ＰＷＭＢ信号の波形に基づいた青色レーザーダイオード５９のＯＮ／ＯＦＦ制御を行う。なお、青色レーザーダイオード駆動部６９は、信号処理部６５から入力された駆動電流振幅情報が示す振幅Ｂで、青色レーザーダイオード５９の定電流駆動を行ってもよい。
【００５９】
図３は、第１の実施形態における補正部８０（図２）の構成を示す概略ブロック図である。補正部８０は、赤色光用補正部８１と、青色光用補正部９１とを備える。赤色光用補正部８１は、制御信号と映像信号を参照して、赤色光用光センサー値を補正して補正後の赤色光用光センサー値を生成する。ここで、赤色光用補正部８１は、画像解析部８２と、補正係数生成部８３と、乗算部８４とを備える。
【００６０】
画像解析部８２は、例えば、入力された映像信号に含まれるあるフレームの画像について、各画素の赤色の階調値を平均化することで、赤色のＡＰＬ（Ａｖｅｒａｇｅ  Ｐｉｃｔｕｒｅ  Ｌｅｖｅｌ：平均画素レベル）を算出する。そして、画像解析部８２は、算出した赤色のＡＰＬを示す情報を補正係数生成部８３へ出力する。
【００６１】
補正係数生成部８３は、例えば、カラーモード毎に、ＡＰＬと補正係数が関連付けられた補正テーブルを保持する。補正係数生成部８３は、例えば、入力された制御信号に含まれるカラーモードに応じた補正テーブルを参照して、画像解析部８２から入力された赤色のＡＰＬに応じた補正係数をその補正テーブルから読み出すことで補正係数を生成する。そして、補正係数生成部８３は、生成した補正係数を示す補正係数情報を乗算部８４に出力する。
乗算部８４は、赤色光用光センサー３６Ｒから入力された赤色光用光センサー値であって上記フレームの画像が表示されたタイミングにおける赤色光用光センサー値に、補正係数生成部８３が生成した補正係数を乗じることで、補正後の赤色光用光センサー値を生成する。乗算部８４は、生成した補正後の赤色光用光センサー値を示す情報をデューティー決定部１００へ出力する。
【００６２】
青色光用補正部９１は、赤色光用補正部８１と同様の処理を行う。具体的には、青色光用補正部９１は、制御信号と映像信号を参照して、青色光用光センサー値を補正して補正後の青色光用光センサー値を生成する。ここで、青色光用補正部９１は、画像解析部９２と、補正係数生成部９３と、乗算部９４とを備える。
【００６３】
画像解析部９２は、例えば、入力された映像信号に含まれるあるフレームの画像について、各画素の青色の階調値を平均化することで、青色のＡＰＬ（Ａｖｅｒａｇｅ  Ｐｉｃｔｕｒｅ  Ｌｅｖｅｌ：平均画素レベル）を算出する。そして、画像解析部９２は、算出した青色のＡＰＬを示す情報を補正係数生成部９３へ出力する。
【００６４】
補正係数生成部９３は、例えば、カラーモード毎に、ＡＰＬと補正係数が関連付けられた補正テーブルを保持する。補正係数生成部９３は、例えば、入力された制御信号に含まれるカラーモードに応じた補正テーブルを参照して、画像解析部９２から入力された青色のＡＰＬに応じた補正係数をその補正テーブルから読み出すことで補正係数を生成する。そして、補正係数生成部９３は、生成した補正係数を示す補正係数情報を乗算部９４に出力する。
乗算部９４は、青色光用光センサー３６Ｂから入力された青色光用光センサー値であって上記フレームの画像が表示されたタイミングにおける青色光用光センサー値に、補正係数生成部９３が生成した補正係数を乗じることで、補正後の青色光用光センサー値を生成する。乗算部９４は、生成した補正後の青色光用光センサー値を示す情報をデューティー決定部１００へ出力する。
【００６５】
続いて、補正係数生成部８３が保持する補正テーブル及び補正係数生成部９３が保持する補正テーブルについて説明する。補正係数生成部８３は、例えば、後述する図４の赤色光用センサー値の場合の補正係数とＡＰＬとの関係を示す補正テーブルを保持する。また、補正係数生成部９３は、例えば、後述する図４の青色光用センサー値の場合の補正係数とＡＰＬとの関係を示す補正テーブルを保持する。
【００６６】
図４は、補正係数とＡＰＬとの関係を示す図である。同図の縦軸は補正係数で、横軸はＡＰＬの最大値に対するＡＰＬの割合［％］である。同図において、赤色光用センサー値の場合の補正係数とＡＰＬとの関係と、青色光用センサー値の場合の補正係数とＡＰＬとの関係が示されている。
【００６７】
赤色光用の反射型液晶パネル４Ｒで反射した光は、蛍光体基板６１で再び反射する。赤色光用光センサー３６Ｒは、例えば黒表示時には再帰光の分だけ値が上昇する。よって、ＡＰＬが小さくなるほど、赤色光のセンサー値は大きな値となる。よって、その赤色光のセンサー値を補正するために、ＡＰＬが小さくなるほど補正係数が小さくなっている。これにより、補正部８０は、補正後の赤色光のセンサー値を、再帰光がない場合の光の強度に近づけることができる。
【００６８】
一方で、青色光用の反射型液晶パネル４Ｂで反射した光は、青色光用照明装置５１へは戻るものの拡散板５６での反射がほとんどない。しかし、青色光用の反射型液晶パネル４Ｂで反射した光によって、偏光変換素子１１などの光学素子の温度変化に伴う特性の変化等の影響により、黒表示時の青色光用センサー値は減少する。図４の例では、補正係数はＡＰＬの最大値に対するＡＰＬの割合が１００％で１であり、ＡＰＬの最大値に対するＡＰＬの割合が１００％未満では１以上である。これにより、補正部８０は、補正後の青色光のセンサー値を、再帰光がない場合の光の強度に近づけることができる。
【００６９】
図５は、第１の実施形態における制御部６４の処理の流れの一例を示すフローチャートである。制御部６４は、ステップＳ１０１〜Ｓ１０６と、ステップＳ１０７〜Ｓ１１２の処理を並行して行う。
（ステップＳ１０１）まず、画像解析部８２は、映像信号から赤色のＡＰＬを算出する。
（ステップＳ１０２）次に、補正係数生成部８３は、赤色光用の補正係数を算出する。
（ステップＳ１０３）次に、乗算部８４は、赤色光用の光センサー値に赤色光用の補正係数を乗算して、補正後の赤色光用光センサー値を生成する。
（ステップＳ１０４）次に、デューティー決定部１００は、補正後の赤色光用光センサー値から、励起用デューティー値ＤｕｔｙＹを算出する。
（ステップＳ１０５）次に、ＰＷＭ信号生成部６７は、励起用デューティー値ＤｕｔｙＹを用いて、励起用レーザーダイオード６２の明滅と対応したＰＷＭＹ信号を生成する。
（ステップＳ１０６）次に、励起用レーザーダイオード駆動部６８は、ＰＷＭＹ信号を用いて、励起用レーザーダイオード６２を駆動する。
【００７０】
（ステップＳ１０７）まず、画像解析部９２は、映像信号から青色のＡＰＬを算出する。
（ステップＳ１０８）次に、補正係数生成部９３は、青色光用の補正係数を算出する。
（ステップＳ１０９）次に、乗算部９４は、青色光用の光センサー値に青色光用の補正係数を乗算して、補正後の青色光用光センサー値を生成する。
（ステップＳ１１０）次に、デューティー決定部１００は、補正後の青色光用光センサー値から、青色デューティー値ＤｕｔｙＢを算出する。
（ステップＳ１１１）次に、ＰＷＭ信号生成部６７は、青色デューティー値ＤｕｔｙＢを用いて、青色レーザーダイオード５９の明滅と対応したＰＷＭＢ信号を生成する。
（ステップＳ１１２）次に、青色レーザーダイオード駆動部６９は、ＰＷＭＢ信号を用いて、青色レーザーダイオード５９を駆動する。以上で、本フローチャートの処理を終了する。
【００７１】
以上、第１の実施形態において、全画面の明るさが最大でない場合（例えば、黒表示時）に光源側へ戻る光（以下、再帰光ともいう）が光センサーに取り込まれることで、再帰光がない場合より赤色光用の光センサー値が上昇する。それにより、プロジェクターで表示される画像中の赤成分が所望の赤成分の明るさよりも暗くなるというより具体的な課題がある。
【００７２】
その課題に対して、第１の実施形態において、補正部８０は、ＡＰＬ（平均画素レベル）に応じて赤色光用の光センサー値を補正することで、全画面の明るさが最大でない場合（例えば、黒表示時）に光源側へ戻る光が赤色光用光センサー３６Ｒに取り込まれることで上昇した赤色光用の光センサー値を補正することができる。これにより、プロジェクター５０は、補正後の赤色光用の光センサー値に応じて励起用レーザーダイオード６２の光量を調節するので、表示する画像中の赤成分及び緑成分をそれぞれ所望の赤成分及び緑成分の明るさで表示することができる。
【００７３】
また、他の具体的な課題として、全画面の明るさが最大でない場合（例えば、黒表示時）に光源側へ戻る光に起因する光学素子の温度変化による特性変化等の影響により、再帰光がない場合より青色光用の光センサー値が減少する。それにより、プロジェクターで表示される画像中の青成分が所望の青成分の明るさよりも明るくなるというより具体的な課題がある。
その課題に対して、第１の実施形態において、補正部８０は、青色光用の光センサー値を補正することで、全画面の明るさが最大でない場合（例えば、黒表示時）に光源側へ戻る光によって起因する光学素子の温度変化による特性変化等の影響によって減少した青色光用の光センサー値の補正することができる。これにより、プロジェクター５０は、補正後の青色光用の光センサー値に応じて青色レーザーダイオード５９の光量を調節するので、表示する画像中の青成分を所望の青成分の明るさで表示することができる。
【００７４】
以上をまとめると、第１の実施形態におけるプロジェクター５０において、光変調部としての反射型液晶パネル４Ｒ、４Ｇ、４Ｂは、投影の対象となる画像を示す画像信号に基づいて光源７１が射出した光を変調する。光検出部７２は、光源７１から上記光変調部までの光路に含まれる光について、光の明るさに関する光明るさ情報を検出する。そして調節部７０は、画像信号に応じて、光検出部７２が検出した光明るさ情報を補正し、補正した後の光明るさ情報を参照して光源７１の出力を調節する。調節部７０は、画像信号に応じて、光源７１の出力を調節するので、プロジェクター５０は、光変調部が光を変調するときに光の反射または吸収が生じたとしても、表示する画像の明るさを所望の明るさに近づけることができる。
【００７５】
更に、調節部７０は、画像信号に応じて、光検出部７２が検出した光明るさ情報を補正する。その際、調節部７０は、画像信号の明るさに関する情報に応じて、光検出部７２が検出した光明るさ情報を補正する。より詳細には、光検出部７２は、光の色毎に光明るさ情報を検出し、調節部７０は、画像信号に含まれる色毎の明るさに関する情報（例えば、画像信号の色毎の平均階調値）に応じて、光検出部７２が検出した、対応する光の色の光明るさ情報を補正する。
【００７６】
なお、第１の実施形態において、反射型液晶パネル４Ｒ、４Ｇ、４Ｂは、透過型液晶パネルであってもよい。特に、透過型液晶パネルの射出側に配置される偏光板として、遮断する光を反射する態様の偏光板を使用する場合には、反射した光が光検出部７２に検出され得る。透過型液晶パネルの場合には、液晶駆動部６６は、信号処理部６５から入力された信号を用いて、透過型液晶パネルの透過率を変更する。
【００７７】
＜第２の実施形態＞
続いて、第２の実施形態について説明する。第１の実施形態における補正テーブルは、画像信号の階調値と表示パネルの反射率（または透過率）を対応付けるテーブルＶＲＬＵＴ（透過率の場合、テーブルＶＴＬＵＴ）の影響を大きく受ける。ユーザーがカラーモードの設定を変更すると、テーブルＶＲＬＵＴを変更する必要があるが、テーブルＶＲＬＵＴの変更のたびに、補正テーブルを用意するのは非効率的である。そこで、第２の実施形態におけるプロジェクター５０ｂは、テーブルＶＲＬＵＴを用いてＡＰＬを反射率に変換し、変換した反射率から補正テーブルを用いて補正係数を生成することで、カラーモードの設定によらず補正テーブルを共通化することができる。
【００７８】
図６は、第２の実施形態におけるプロジェクター５０ｂの構成を示す概略構成図である。なお、図１と共通する要素には同一の符号を付し、その具体的な説明を省略する。第２の実施形態におけるプロジェクター５０ｂの構成は、第１の実施形態におけるプロジェクター５０の構成に対して、制御部６４が制御部６４ｂに変更されたものとなっている。
【００７９】
図７は、第２の実施形態における制御部６４ｂの構成を示す概略ブロック図である。なお、図２と共通する要素には同一の符号を付し、その具体的な説明を省略する。第２の実施形態における制御部６４ｂの構成は、第１の実施形態における制御部６４の構成に対して、調節部７０における信号処理部６５の補正部８０が調節部７０ｂにおける信号処理部６５ｂの補正部８０ｂに変更されたものとなっている。
【００８０】
図８は、第２の実施形態における補正部８０ｂの構成を示す概略ブロック図である。補正部８０ｂは、赤色光用補正部８１ｂと、青色光用補正部９１ｂとを備える。赤色光用補正部８１ｂは、画像解析部８２と、変換部８５と、補正処理部８６とを備える。
変換部８５は、例えば、ＡＰＬと反射率とが関連付けられているテーブルＶＲＬＵＴを保持する。変換部８５は、画像解析部８２から入力された赤色のＡＰＬに対応する反射率をテーブルＶＲＬＵＴから読み出す。そして、変換部８５は、読み出した反射率を示す反射率情報を補正処理部８６の後述する補正係数生成部８３ｂへ出力する。
【００８１】
補正処理部８６は、例えば変換部８５が変換して得た反射率に応じて、赤色光用光センサー３６Ｒが検出した赤色光の強度を補正する。ここで、補正処理部８６は、補正係数生成部８３ｂと、乗算部８４とを備える。補正係数生成部８３ｂは、例えば、反射率と補正係数とが関連付けられた補正テーブルを保持する。補正係数生成部８３ｂは、変換部８５から入力された反射率情報が示す反射率に対応する補正係数を補正テーブルから読み出す。そして、補正係数生成部８３ｂは、読み出した補正係数を示す補正係数情報を乗算部８４に出力する。
乗算部８４は、赤色光用光センサー値に補正係数生成部８３ｂが読み出した補正係数を乗じることで、補正後の赤色光用光センサー値を生成する。乗算部８４は、補正後の赤色光用光センサー値を示す情報をデューティー決定部１００へ出力する。
【００８２】
青色光用補正部９１ｂは、画像解析部９２と、変換部９５と、補正処理部９６とを備える。
変換部９５は、変換部８５と同様の処理を行う。具体的には、変換部９５は、例えば、ＡＰＬと反射率とが関連付けられているテーブルＶＲＬＵＴを保持する。変換部９５は、画像解析部９２から入力された赤色のＡＰＬに対応する反射率をテーブルＶＲＬＵＴから読み出す。そして、変換部９５は、読み出した反射率を示す反射率情報を補正処理部９６の後述する補正係数生成部９３ｂへ出力する。
【００８３】
補正処理部９６は、補正処理部８６と同様の処理を行う。具体的には補正処理部９６は、例えば変換部９５が変換して得た反射率に応じて、青色光用光センサー３６Ｂが検出した青色光の強度を補正する。ここで、補正処理部９６は、補正係数生成部９３ｂと、乗算部９４とを備える。補正係数生成部９３ｂは、例えば、反射率と補正係数とが関連付けられた補正テーブルを保持する。補正係数生成部９３ｂは、変換部９５から入力された反射率情報が示す反射率に対応する補正係数を補正テーブルから読み出す。そして、補正係数生成部９３ｂは、読み出した補正係数を示す補正係数情報を乗算部９４に出力する。
乗算部９４は、青色光用光センサー値に補正係数生成部９３ｂが読み出した補正係数を乗じることで、補正後の青色光用光センサー値を生成する。乗算部９４は、補正後の青色光用光センサー値を示す情報をデューティー決定部１００へ出力する。
【００８４】
なお、第２の実施形態において、反射型液晶パネル４Ｒ、４Ｇ、４Ｂは、透過型液晶パネルであってもよい。その場合、変換部８５及び９５は、テーブルＶＴＬＵＴを用いてＡＰＬを透過率に変換し、変換した透過率から補正テーブルを用いて補正係数を生成してもよい。この場合、テーブルＶＴＬＵＴには、ＡＰＬと透過率とが関連付けられているものとする。また、補正テーブルには、透過率と補正係数が関連付けられているものとする。
【００８５】
図９は、第２の実施形態における制御部６４ｂの処理の流れの一例を示すフローチャートである。制御部６４ｂは、ステップＳ２０１〜Ｓ２０７と、ステップＳ２０８〜Ｓ２１４の処理を並行して行う。
ステップＳ２０１の処理は、ステップＳ１０１の処理と同じであり、ステップＳ２０４〜ステップＳ２０７の処理は、ステップＳ１０３〜Ｓ１０６の処理と同じであるので、その説明を省略する。
（ステップＳ２０２）次に、変換部８５は、赤色のＡＰＬから反射型液晶パネル４Ｒの反射率を生成する。
（ステップＳ２０３）次に、補正係数生成部８３ｂは、反射型液晶パネル４Ｒの反射率から補正係数を生成する。
【００８６】
ステップＳ２０８の処理は、ステップＳ１０７の処理と同じであり、ステップＳ２１１〜ステップＳ２１４の処理は、ステップＳ１０９〜Ｓ１１２の処理と同じであるので、その説明を省略する。
（ステップＳ２０９）次に、変換部９５は、青色のＡＰＬから反射型液晶パネル４Ｂの反射率を生成する。
（ステップＳ２１０）次に、補正係数生成部９３ｂは、反射型液晶パネル４Ｂの反射率から補正係数を生成する。以上で、本フローチャートの処理を終了する。
【００８７】
以上、第２の実施形態において、変換部８５及び９５は、画像信号の対象となる色の明るさに関する情報を光変調部の反射を示す情報に変換する。ここで、反射を示す情報は、反射率及び透過率を含む情報である。補正処理部８６は、変換部８５が変換して得た反射を示す情報に応じて、光検出部７２が検出した赤色の光強度を補正する。また、補正処理部９６は、変換部９５が変換して得た反射を示す情報に応じて、光検出部７２が検出した青色の光強度を補正する。これにより、カラーモードの設定に応じて、変換部８５及び９５が、画像信号の対象となる色の明るさに関する情報を光変調部の反射を示す情報に変換するので、補正処理部９６は、カラーモードの設定によらず同じ処理で光強度を補正することができる。その結果、補正係数生成部８３ｂは、カラーモードの設定によらず共通する補正テーブルを使用できる。そのため、第１の実施形態の効果に加えて、補正係数生成部８３ｂが保持するテーブルの数を減らすことができ、補正係数生成部８３ｂが内部に保持するメモリーの容量を減らすことができる。
【００８８】
なお、各実施形態において、補正部８０は、ＡＰＬを用いたがこれに限ったものではない。補正部８０は、画像信号の中央レベル、またはヒストグラムの最頻値を用いてもよい。
【００８９】
なお、各実施形態の制御部（６４または６４ｂ）の各処理を実行するためのプログラムをコンピューター読み取り可能な記録媒体に記録して、当該記録媒体に記録されたプログラムをコンピューターシステムに読み込ませ、実行することにより、制御部（６４または６４ｂ）に係る上述した種々の処理を行ってもよい。
【００９０】
なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００９１】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００９２】
以上、本発明の実施形態について図面を参照して詳述したが、具体的な構成はこの実施形態に限られるものではない。各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【符号の説明】
【００９３】
３Ｒ、３Ｇ、３Ｂ  導光光学系
４Ｒ、４Ｇ、４Ｂ  反射型液晶パネル（光変調部）
５  クロスダイクロイックプリズム
６  投写光学系
９  第１レンズアレイ
１０  第２レンズアレイ
１１  偏光変換素子
１２  重畳レンズ
２５  ダイクロイックミラー
２６、２７、２８  偏光ビームスプリッター（偏光分離素子）
３２Ｒ、３２Ｇ、３２Ｂ  集光レンズ
３４Ｒ、３４Ｇ、３４Ｂ  偏光板
３６Ｒ  赤色光用光センサー
３６Ｇ  緑色光用光センサー
３６Ｂ  青色光用光センサー
３７  第１の絞り（入射角制限部材）
３８  第２の絞り（入射角制限部材）
５０、５０ｂ  プロジェクター
５１  青色光用照明装置
５２  黄色光用照明装置
５３  青色レーザーダイオードアレイ
５４  平行化レンズ
５５  集光レンズ
５６  拡散板
５７  ピックアップレンズ
５８  平行化レンズ
５９  青色レーザーダイオード
６１  蛍光体基板
６２  励起用レーザーダイオード
６４、６４ｂ  制御部
６５、６５ｂ  信号処理部
６６  液晶駆動部
６７  ＰＷＭ信号生成部
６８  励起用レーザーダイオード駆動部
６９  青色レーザーダイオード駆動部
７０、７０ｂ  調節部
７１  光源
７２  光検出部
８０、８０ｂ  補正部
８１、８１ｂ  赤色光用補正部
８２、９２  画像解析部
８３、８３ｂ、９３、９３ｂ  補正係数生成部
８４、９４  乗算部
８５、９５  変換部
８６、９６  補正処理部
９１、９１ｂ  青色光用補正部
【図１】
2014132289.tif 000003
【図２】
2014132289.tif 000004
【図３】
2014132289.tif 000005
【図４】
2014132289.tif 000006
【図５】
2014132289.tif 000007
【図６】
2014132289.tif 000008
【図７】
2014132289.tif 000009
【図８】
2014132289.tif 000010
【図９】
2014132289.tif 000011